(57)【要約】      （修正有）【課題】屋外に面する掃出し窓を利用し、居室における開放感を向上させることが可能な建物を提供する。【解決手段】２階建ての建物本体１と、４方向に傾斜した４つの屋根面からなる屋根と、を有する建物において、建物本体１を構成する外壁のうち正面に設けられる外壁は、正面の外壁の中央において１階から屋根の軒天にかけて設けられる一の外壁３４と、一の外壁３４の両側に位置する他の外壁と、を備え、一の外壁３４は、他の外壁よりも前方に突出して配置され、かつ窓がない状態で構成され、他の外壁のうち、一の外壁３４の一方の側に位置する他の外壁には、１階に位置する部分のほぼ全体に対応して、１階の天井までの高さを有する掃出し窓１５が設けられ、掃出し窓１５の内側に居室が設けられている。【選択図】図３
2014074330.tif 000002
【特許請求の範囲】
【請求項１】
２階建ての建物本体と、当該建物本体の上部に設けられる４方向に傾斜した４つの屋根面からなる屋根と、を有する建物において、
前記建物本体を構成する外壁のうち正面に設けられる外壁は、当該正面の外壁の中央において１階から前記屋根の軒天にかけて設けられる一の外壁と、当該一の外壁の両側に位置する他の外壁と、を備えており、
前記一の外壁は、前記他の外壁よりも前方に突出して配置され、かつ窓がない状態で構成されており、
前記他の外壁のうち、前記一の外壁の一方の側に位置する他の外壁には、１階に位置する部分のほぼ全体に対応して、当該１階の天井までの高さを有する掃出し窓が設けられており、前記掃出し窓の内側に居室が設けられていることを特徴とする建物。
【請求項２】
請求項１に記載の建物において、
前記一の外壁の他方の側に位置する他の外壁には玄関が設けられていることを特徴とする建物。
【請求項３】
請求項２に記載の建物において、
前記玄関の上方であって、前記他の外壁の外側にバルコニーが設けられていることを特徴とする建物。
【発明の詳細な説明】
【技術分野】
【０００１】
本発明は、２階建ての住宅である建物に関する。
【背景技術】
【０００２】
吹抜け空間が設けられた建物の一例として特許文献１に記載のものが知られている。この建物では、建物の中央にリビングルームを配置し、このリビングルーム上方に上階の天井まで至る吹抜けを設け、前記リビングルームに、一方側の側面がリビングルーム側に面して開口した階段を配置し、この階段を、前記上階の吹抜け側を開口した部屋に接続している。
【先行技術文献】
【特許文献】
【０００３】
【特許文献１】特開２００２−１９４８９９号公報
【発明の概要】
【発明が解決しようとする課題】
【０００４】
ところで、戸建て住宅においては、リビングルームにおける開放感を向上させたいという要望が多く、従来、様々な工夫がなされてきた。上記のような建物では、階段の一方側の側面がリビングルーム側に面して開口しており、これによってリビングルームにおける開放感の向上を図っている。しかしながら、採光性や通風性等を含む総合的な開放感の向上について考慮すれば、リビングルーム（以下、居室）において屋外に面する掃出し窓を好適に利用したいという要望があった。
【０００５】
本発明は上記事情に鑑みてなされたもので、屋外に面する掃出し窓を利用し、居室における開放感を向上させることが可能な建物を提供することを課題としている。
【課題を解決するための手段】
【０００６】
請求項１に記載の発明は、例えば図１〜図４に示すように、２階建ての建物本体１と、当該建物本体１の上部に設けられる４方向に傾斜した４つの屋根面からなる屋根と、を有する建物において、
前記建物本体１を構成する外壁のうち正面に設けられる外壁は、当該正面の外壁の中央において１階から前記屋根の軒天にかけて設けられる一の外壁３４と、当該一の外壁３４の両側に位置する他の外壁と、を備えており、
前記一の外壁３４は、前記他の外壁よりも前方に突出して配置され、かつ窓がない状態で構成されており、
前記他の外壁のうち、前記一の外壁３４の一方の側に位置する他の外壁には、１階に位置する部分のほぼ全体に対応して、当該１階の天井までの高さを有する掃出し窓１５が設けられており、前記掃出し窓１５の内側に居室３が設けられていることを特徴とする。
【０００７】
請求項１に記載の発明によれば、掃出し窓１５が、一の外壁３４の一方の側に位置する他の外壁において１階に位置する部分のほぼ全体に対応して設けられており、当該掃出し窓の内側に居室３が設けられているので、当該掃出し窓を通じて採光や通風を行うことができるとともに、居室３側からの眺望にも優れる。これによって、居室３における採光性や通風性等を含む総合的な開放感を向上させることができる。
【０００８】
請求項２に記載の発明は、請求項１に記載の建物において、
前記一の外壁３４の他方の側に位置する他の外壁には玄関が設けられていることを特徴とする。
【０００９】
請求項２に記載の発明によれば、一の外壁３４の他方の側に位置する他の外壁には玄関が設けられているので、一の外壁３４の一方の側に玄関を設ける必要がなく、掃出し窓１５を、一の外壁３４の一方の側に位置する他の外壁において１階に位置する部分のほぼ全体に対応して設けることができる。
【００１０】
請求項３に記載の発明は、請求項２に記載の建物において、
前記玄関の上方であって、前記他の外壁の外側にバルコニー２７が設けられていることを特徴とする。
【００１１】
請求項３に記載の発明によれば、玄関の上方であって、他の外壁の外側にバルコニー２７が設けられているので、玄関とバルコニーとを上下階に並べて配置できる。すなわち、バルコニー２７を、掃出し窓１５のある一の外壁３４の一方の側に位置する他の外壁における２階部分に設ける必要がないので、居室３側からの眺望を阻害することがなくなる。
【発明の効果】
【００１２】
本発明によれば、屋外に面する掃出し窓を利用し、居室における開放感を向上させることが可能となる。
【図面の簡単な説明】
【００１３】
【図１】本発明に係る建物の一例を示すもので、建物の１階の平面図である。
【図２】同、建物の２階の平面図である。
【図３】同、建物の正面図である。
【図４】同、建物の西側の側面図である。
【発明を実施するための形態】
【００１４】
以下図面を参照して本発明の実施の形態について説明する。
本実施の形態の建物は２階建てのものであり、図１〜図４に示すように、２階建ての建物本体１と、当該建物本体１の上部に設けられる４方向に傾斜した４つの屋根面からなる屋根と、を有する。
また、前記建物本体１を構成する外壁のうち正面に設けられる外壁は、当該正面の外壁の中央において１階から前記屋根の軒天にかけて設けられる一の外壁３４と、当該一の外壁３４の両側に位置する他の外壁と、を備える。そして、前記一の外壁３４は、前記他の外壁よりも前方に突出して配置され、かつ窓がない状態で構成されている。
前記他の外壁のうち、前記一の外壁３４の一方の側に位置する他の外壁には、１階に位置する部分のほぼ全体に対応して、当該１階の天井までの高さを有する掃出し窓１５が設けられており、前記掃出し窓１５の内側に居室３が設けられている。
さらに、前記一の外壁３４の他方の側に位置する他の外壁には玄関が設けられており、前記玄関の上方であって、前記他の外壁の外側にバルコニーが設けられている。
また、この建物の１階には図１および図２に示すように、建物本体１のほぼ中央部には１階床から２階天井まで吹き抜ける吹抜け空間２が設けられている。吹抜け空間２は平面視において東西に長尺な長方形状のものであり、南北方向において建物本体１の中央部に設けられ、東西方向において略中央部で若干西側よりに設けられている。
【００１５】
建物本体１には、吹抜け空間２を南北に挟んで居室３とキッチン４とが設けられており、キッチン４の東側に隣接して食堂５が設けられている。キッチン４内の食堂５側には調理台６が設けられており、その上方は１階の天井まで空間となっている。したがって、キッチン４からは食堂５が見渡せるようになっている。
食堂５の東側に隣接して居室７が設けられている。この居室７と食堂５との間には３連の引戸８が設けられており、この引戸８を開けることによって、キッチン４から居室７を見渡せるようになっている。なお、引戸８は１階天井までの高さを有する大きなものである。
また、キッチン４および食堂５と、吹抜け空間２とは仕切られておらず、横方向に連続した空間となっている。
【００１６】
前記居室３はリビングとして使用される部屋であり、この居室３と吹抜け空間２との境界部には仕切壁１０が設けられている。この仕切壁１０の上端部は１階天井まで達している。また、前記吹抜け空間２には、１階床から２階床にかけて直階段１１が設けられている。この直階段の一方の側部には階段手摺１１ａが設けられており、他方の側部は前記仕切壁１０に接している。
直階段１１は鋼製の桁材を１階床と２階床とにかけ、この桁材に複数の段板を桁材の長手方向に所定間隔で取り付けたものであり、蹴込板は備えていない。階段手摺１１ａは、フレームで形成されたもので、段板の端部に立設された手摺子と、手摺子の上端に取り付けられた棒状の手摺とで構成されている。
【００１７】
また、前記仕切壁１０の西側の横には、吹抜け空間２と居室３とを行き来するための開口部１２が設けられている。また、仕切壁１０の東側の横には、食堂５と居室３との間に設けられた通路１３から居室３に出入りするための開口部１４が設けられている。
また、居室３の南側にある外壁には、掃出し窓１５が設けられている。換言すれば、掃出し窓１５のある外壁の内側に居室３が設けられている。
居室３の南側（建物正面）にある外壁を含む建物本体１の外壁は、上述のように、当該建物本体１の外壁の中央に設けられる一の外壁３４と、当該一の外壁３４の両側に位置する他の外壁と、を備える。
一の外壁３４は、１階から前記屋根の軒天にかけて設けられる程度の高さに設定され、建物正面側の他の外壁よりも前方に突出して配置されている。さらに、当該一の外壁３４には窓がない。
また、他の外壁のうち、一の外壁３４の一方の側（西側）に位置する他の外壁に掃出し窓１５が設けられている。
この掃出し窓１５は仕切壁１０に対向している。掃出し窓１５は図３に示すように、１階の天井まで達する縦長の大きな引違い式の窓であり、居室３の南側の壁ほぼ全体に亙って設けられている。この掃出し窓１５の外側には、テラス１６が設けられている。
【００１８】
また、一の外壁３４の他方の側（東側）に位置する他の外壁には玄関が設けられ、前記通路１３の東側に隣接して当該玄関の玄関ホール１７が設けられており、この玄関ホール１７の北側に隣接して前記居室７が設けられている。玄関ホール１７と通路１３とを仕切る壁にはドアが設けられており、玄関ホール１７と居室７とを仕切る壁にもドアが設けられている。したがって、この玄関ホール１７から通路１３と居室７との双方に行き来できるようになっている。
また、玄関ホール１７の奥側には洗面コーナ１８が設けられている。この洗面コーナ１８は、ドア等がないオープンな空間であり、洗面台が設置されている。また、洗面コーナ１８に対向してトイレ１９が設けられており、このトイレ１９には玄関ホール１７から出入りできるようになっている。
【００１９】
建物本体１の２階には、図２に示すように、前記吹抜け空間２に面して居室２０，２１が設けられている。居室２０は夫婦の寝室として使用され、居室２１は子供部屋として使用されるものであり、吹抜け空間２を挟んで南北に配置されている。
居室２０と吹抜け空間２とは２階仕切壁２２によって仕切られている。この２階仕切壁２２の上端部は２階天井まで達している。
また、居室２１と吹抜け空間２とは２階仕切壁２３によって仕切られている。この２階仕切壁２３の上端部は２階天井まで達している。
【００２０】
前記吹抜け空間２は建物本体１の西側の外壁に面しており、この外壁には２階において大窓２５が設けられている。この大窓２５は図４に示すように、居室２０，２１の上下の高さとほぼ等しい縦長の窓であり、吹抜け空間２の南北方向の長さ全体に亙って設けられている。
したがって、平面視長方形状の吹抜け空間２は、その２階部分において、一つの短辺が透明なガラス板によって形成されている。
【００２１】
また、前記居室２０の東側に隣接して大型のウォークインクローゼット２６が設けられており、このウォークインクローゼット２６の東側に隣接して、かつ玄関の上方であって他の外壁の外側にバルコニー２７が設けられている。ウォークインクローゼット２６には、衣類を収納する収納部２６ａと、衣類を畳んだり、衣類にアイロンかけを行うための家事カウンター２６ｂとが設けられている。このようなウォークインクローゼット２６には居室２０およびバルコニー２７の双方から出入りできるようになっている。
また、バルコニー２７の北側に隣接して洗面室２８が設けられており、この洗面室２８の北側に浴室２９がこの浴室２９の西側にトイレ３０が設けられている。また、洗面室２８には洗濯機置場２８ａが設けられている。そして、バルコニー２７には洗面室２８から出入りできるようになっている。
【００２２】
前記居室２１の東側に隣接して大型のウォークインクローゼット３１が設けられており、このウォークインクローゼット３１の東側に隣接して居室３２が設けられている。ウォークインクローゼット３１には、居室２１および居室３２の双方から出入りできるようになっている。また、このウォークインクローゼット３１には、ホール３３からも出入りできるようになっている。
【００２３】
本実施の形態の建物によれば、キッチン４で生じる音の一部は吹抜け空間２から上方に伝わる。
また、仕切壁１０の横には開口部１２が設けられており、この開口部１２を通して吹抜け空間２と居室３とを行き来でき、また、吹抜け空間２とキッチン４とは仕切られていないので、吹抜け空間２とキッチン４とを行き来できる。したがって、キッチン４から吹抜け空間２を通って居室３に行き来できる。
【００２４】
さらに、吹抜け空間２は外壁に面しており、この外壁には２階において居室２０，２１の高さとほぼ等しい縦長の大窓２５が設けられているので、この大窓２５から吹抜け空間２に採光することができる。したがって、日中は吹抜け空間全体を明るくすることができる。また、この吹抜け空間２に採光した光は、１階のキッチン４や居室３にも届くので、これらキッチン４、居室３を明るくすることができる。
【符号の説明】
【００２５】
１  建物本体
２  吹抜け空間
３  居室
４  キッチン
１０  仕切壁
１１  直階段
１５  掃出し窓（窓）
２０，２１  居室
２２，２３   ２階仕切壁
２５  大窓
【図１】
2014074330.tif 000003
【図２】
2014074330.tif 000004
【図３】
2014074330.tif 000005
【図４】
2014074330.tif 000006